(57)【要約】【課題】本願が開示する技術は、一つの側面として、キーボード部を傾斜させる手間を低減することを目的とする。【解決手段】情報処理装置１０は、表示装置２０と、入力装置５０とを備える。入力装置５０は、装着部７４と、チルト用脚部８４と、キーボード部６０とを有する。装着部７４は、表示装置２０の一端側の端面２０Ｅに装着される。チルト用脚部８４は、装着部７４に固定されるとともに表示装置２０の表面２０Ｆに沿って配置される。キーボード部６０は、チルト用脚部８４にヒンジ部９０を介して連結される。【選択図】図１０
2019046415.tif 000002
【特許請求の範囲】
【請求項１】
本体装置と、
前記本体装置の一端側の端面に装着される装着部と、前記装着部に固定されるとともに前記本体装置の表面に沿って配置されるチルト用脚部と、前記チルト用脚部にヒンジ部を介して連結されるキーボード部と、を有する入力装置と、
を備える情報処理装置。
【請求項２】
前記入力装置を横幅方向から見て、前記装着部及び前記チルト用脚部は、Ｌ字形状を成す、
請求項１に記載の情報処理装置。
【請求項３】
前記装着部における前記チルト用脚部と反対側の端部には、装着部用滑り止め部が設けられる、
請求項１又は請求項２に記載の情報処理装置。
【請求項４】
前記入力装置は、前記キーボード部を備える入力装置本体を有し、
前記入力装置本体における前記ヒンジ部と反対側の端部には、装置本体用滑り止め部が設けられる、
請求項１〜請求項３の何れか１項に記載の情報処理装置。
【請求項５】
前記装着部における前記チルト用脚部側の端部には、脚部側滑り止め部が設けられる、
請求項１〜請求項４の何れか１項に記載の情報処理装置。
【請求項６】
前記本体装置の前記端面には、端面側コネクタが設けられ、
前記装着部には、前記端面側コネクタに接続される装着部側コネクタが設けられる、
請求項１〜請求項５の何れか１項に記載の情報処理装置。
【請求項７】
前記本体装置の前記端面には、前記端面側コネクタに対し、前記本体装置の横幅方向の両側に配置される一対の位置決め穴が設けられ、
前記装着部には、前記装着部側コネクタに対し、前記入力装置の横幅方向の両側に配置され、前記一対の位置決め穴にそれぞれ嵌め込まれる一対の位置決め突起部が設けられる、
請求項６に記載の情報処理装置。
【請求項８】
前記一対の位置決め穴の中心、及び前記端面側コネクタの中心は、前記本体装置の横幅方向に沿った直線上に配置され、
前記装着部側コネクタの中心、及び前記位置決め突起部の中心は、前記入力装置の横幅方向に沿った直線上に配置される、
請求項７に記載の情報処理装置。
【請求項９】
前記装着部は、前記チルト用脚部を前記本体装置の裏面に沿わせた状態で前記本体装置の前記端面に着脱される、
請求項８に記載の情報処理装置。
【請求項１０】
前記本体装置における前記裏面側には、前記チルト用脚部を吸着する裏面側磁石が設けられる、
請求項９に記載の情報処理装置。
【発明の詳細な説明】
【技術分野】
【０００１】
本願が開示する技術は、情報処理装置に関する。
【背景技術】
【０００２】
タブレット型端末等の本体装置の一端側の端面に装着される装着部と、装着部に連結されるキーボード部とを有する入力装置がある（例えば、特許文献１参照）。
【０００３】
この種の入力装置では、装着部とキーボード部との間に、キーボード部を傾斜させるためのチルト用脚部が設けられる。チルト用脚部は、装着部にヒンジ部を介して連結されるとともに、キーボード部の端部にヒンジ部を介して連結される。また、チルト用脚部には、本体装置の表面に吸着される磁石が設けられる。
【０００４】
ここで、利用者がキーボード部を傾斜させる場合、利用者は、先ず、本体装置の端面に入力装置の装着部を装着する。次に、利用者は、装着部に対してチルト用脚部を回動させ、本体装置の表面に磁力によってチルト用脚部を吸着させる。これにより、キーボード部の端部が机等の設置面から浮き上った状態で、チルト用脚部に支持される。この結果、キーボード部が、所定の傾斜角度に傾斜される。
【先行技術文献】
【特許文献】
【０００５】
【特許文献１】国際公開第２０１４／０８８６１７号
【発明の概要】
【発明が解決しようとする課題】
【０００６】
しかしながら、上記の入力装置では、前述したように、利用者がキーボード部を傾斜させる場合に、本体装置の端面に装着された装着部に対してチルト用脚部を回動させる。そのため、利用者が、キーボード部を傾斜させる場合に、手間がかかる。
【０００７】
本願が開示する技術は、一つの側面として、キーボード部を傾斜させる手間を低減することを目的とする。
【課題を解決するための手段】
【０００８】
本願が開示する技術では、情報処理装置は、本体装置と、入力装置とを備える。入力装置は、装着部と、チルト用脚部と、キーボード部とを有する。装着部は、本体装置の一端側の端面に装着される。チルト用脚部は、装着部に固定されるとともに本体装置の表面に沿って配置される。キーボード部は、チルト用脚部にヒンジ部を介して連結される。
【発明の効果】
【０００９】
本願が開示する技術によれば、一つの側面として、キーボード部を傾斜させる手間を低減することができる。
【図面の簡単な説明】
【００１０】
【図１】図１は、一実施形態に係る情報処理装置を示す斜視図である。
【図２Ａ】図２Ａは、図１に示される表示装置を表面側から見た表面図である。
【図２Ｂ】図２Ｂは、図２Ａに示される表示装置を端面側から見た端面図である。
【図３】図３は、一対の位置決め穴及び端面側コネクタを示す図２Ｂの一部拡大図である。
【図４】図４は、図６の４−４線に沿って切断した情報処理装置の断面図である。
【図５】図５は、図１に示される入力装置を表面側から見た表面図である。
【図６】図６は、図１に示される入力装置を表面側から見た表面図である。
【図７】図７は、図４に対応する情報処理装置の断面図である。
【図８】図８は、図４に対応する情報処理装置の断面図である。
【図９】図９は、図４に対応する情報処理装置の断面図である。
【図１０】図１０は、図４に対応する情報処理装置の断面図である。
【図１１】図１１は、図４に対応する情報処理装置の断面図である。
【図１２】図１２は、図４に対応する情報処理装置の断面図である。
【図１３】図１３は、一実施形態に係る情報処理装置の変形例を示す図９に相当する断面図である。
【図１４】図１４は、一実施形態に係る情報処理装置の変形例を示す図８に相当する断面図である。
【発明を実施するための形態】
【００１１】
以下、本願が開示する技術の一実施形態について説明する。
【００１２】
（情報処理装置）
図１に示されるように、本実施形態に係る情報処理装置１０は、表示装置２０と、入力装置５０とを備える。なお、各図に示される矢印Ｘは、表示装置２０の横幅方向を示す。また、矢印Ｙは、表示装置２０の縦幅方向を示す。
【００１３】
（表示装置）
表示装置２０は、例えば、タブレット型端末とされる。この表示装置２０は、矩形状の板状に形成される。表示装置２０は、表示器２２（図２Ａ参照）、筐体２４、及び可動スタンド２８を有する。なお、表示装置２０は、本体装置の一例である。
【００１４】
図２Ａに示されるように、表示器２２は、例えば、タッチパネルが実装された液晶表示器とされる。この表示器２２は、画像又は映像を表示する表示面２２Ａを有する。また、表示器２２は、筐体２４に収容される。
【００１５】
筐体２４は、扁平な箱状に形成される。この筐体２４によって、表示器２２における表示面２２Ａと反対側の面（裏面）が覆われる。また、図１に示されるように、筐体２４の裏面側、すなわち表示装置２０の裏面２０Ｒ側には、スタンド収容部２６が形成される。スタンド収容部２６は、筐体２４の外周部に沿ったＵ字形状に形成される。このスタンド収容部２６は、可動スタンド２８を収容可能な凹部とされる。
【００１６】
可動スタンド２８は、Ｕ字形状に形成される。この可動スタンド２８は、一対のスタンドアーム部２８Ａと、スタンド脚部２８Ｂとを有する。一対のスタンドアーム部２８Ａの一端部は、図示しない回動軸を介して筐体２４に連結される。また、一対のスタンドアーム部２８Ａの他端部は、スタンド脚部２８Ｂによって接続される。スタンド脚部２８Ｂは、例えば、机等の設置面Ｍ（図１０参照）に接地される。
【００１７】
可動スタンド２８は、前述した回動軸を中心とした回動に伴って、スタンド収容部２６に収容される収容状態と、スタンド収容部２６から展開されるスタンド状態とに変移される。この可動スタンド２８は、図１０に示されるように、スタンド状態において、机等の設置面Ｍに対して表示装置２０の裏面２０Ｒを支持する。これにより、表示装置２０が所定の傾斜角度に立てられた状態で保持される。
【００１８】
図２Ｂに示されるように、表示装置２０の一端側の端面２０Ｅには、端面側コネクタ３０、一対の位置決め穴３２、及び複数の端面側磁石３４が設けられる。より具体的には、表示装置２０の横幅方向（矢印Ｘ方向）に沿った端面２０Ｅには、端面側コネクタ３０、一対の位置決め穴３２、及び複数の端面側コネクタ３０が設けられる。
【００１９】
なお、端面側コネクタ３０、一対の位置決め穴３２、及び複数の端面側コネクタ３０は、表示装置２０の縦幅方向（矢印Ｙ方向）に沿った端面に設けられても良い。
【００２０】
端面側コネクタ３０は、後述する装着部側コネクタ７６が差し込み可能な穴とされる。この端面側コネクタ３０は、表示装置２０の横幅方向の中央部に配置される。また、端面側コネクタ３０に対する表示装置２０の横幅方向の両側には、一対の位置決め穴３２が設けられる。
【００２１】
図３に示されるように、一対の位置決め穴３２は、後述する一対の位置決め突起部７８が嵌め込み可能な穴とされる。この一対の位置決め穴３２の形状及び大きさは、同じとされる。また、一対の位置決め穴３２の中心Ｃ１、及び端面側コネクタ３０の中心Ｃ２は、表示装置２０の横幅方向に沿った直線（中心線）Ｖ上に配置される。さらに、一対の位置決め穴３２は、端面側コネクタ３０に対して対称に配置される。図２Ｂに示されるように、一対の位置決め穴３２に対する表示装置２０の横幅方向の両側には、複数の端面側磁石３４がそれぞれ設けられる。
【００２２】
複数の端面側磁石３４は、筐体２４内に収容される。各端面側磁石３４は、表示装置２０の横幅方向に沿った棒状に形成される。また、複数の端面側磁石３４は、表示装置２０の厚み方向に２列で、かつ、表示装置２０の横幅方向に４本で配列される。これらの端面側磁石３４には、後述する装着部側磁石８０が吸着される。
【００２３】
図４に示されるように、表示装置２０の表面２０Ｆにおける端面２０Ｅ側の外周部には、表面側磁石３６が設けられる。表面側磁石３６は、表示装置２０の横幅方向に沿った棒状に形成される。また、表面側磁石３６は、表示装置２０の横幅方向に複数設けられる。これらの表面側磁石３６には、後述する複数の脚部側磁石８６がそれぞれ吸着される。
【００２４】
表示装置２０の裏面２０Ｒにおける端面２０Ｅ側の外周部には、裏面側磁石３８が設けられる。裏面側磁石３８は、表示装置２０の横幅方向に沿った棒状に形成される。また、裏面側磁石３８は、表示装置２０の横幅方向に複数設けられる。これらの表面側磁石３６には、後述する複数の脚部側磁石８６がそれぞれ吸着される。
【００２５】
（入力装置）
入力装置５０は、表示装置２０に着脱される拡張装置とされる。また、入力装置５０は、表示装置２０の表面２０Ｆを覆うカバーとしても機能する（図７参照）。さらに、入力装置５０は、表示装置２０のスタンドとしても機能する（図１１参照）。この入力装置５０は、入力装置本体５２と、装着ベース７０と、ヒンジ部９０とを有する。
【００２６】
（入力装置本体）
図５に示されるように、入力装置本体５２は、矩形状の板状に形成される。また、入力装置本体５２は、表示装置２０の表面２０Ｆを全面に亘って覆う大きさとされる。この入力装置本体５２は、図示しないパネルフレームと、パネルフレームを被覆する表皮５４とを有する。表皮５４は、例えば、ポリウレタンレザー等のように、柔軟性を有するシート材によって形成される。
【００２７】
なお、各図に示される矢印Ｗは、入力装置５０の横幅方向を示す。また、矢印Ｄは、入力装置５０の上下方向（奥行方向）を示す。
【００２８】
入力装置本体５２は、キーボード部６０、タッチパッド部６２、及び一対のクリックボタン６４を有する。キーボード部６０は、入力装置本体５２の上部に配置される。図４に示されるように、キーボード部６０は、キーベース６０Ａと、複数のキーキャップ（キートップ）６０Ｂとを有する。
【００２９】
キーベース６０Ａは、前述した表皮５４によって被覆される。複数のキーキャップ６０Ｂは、キーベース６０Ａから突出し、入力装置本体５２の表面（上面）５２Ａから露出される。
【００３０】
図５に示されるように、タッチパッド部６２、及び一対のクリックボタン６４は、入力装置本体５２の下部に配置される。これらのタッチパッド部６２、及び一対のクリックボタン６４は、入力装置本体５２の表面５２Ａから露出される。
【００３１】
なお、タッチパッド部６２、及び一対のクリックボタン６４は、省略可能である。
【００３２】
入力装置本体５２におけるヒンジ部９０と反対側の端部、すなわち入力装置本体５２の下端部５２Ｌには、装置本体用滑り止め部６６が設けられる。装置本体用滑り止め部６６は、例えば、ゴム又はシリコン等の弾性体によって形成される。装置本体用滑り止め部６６は、入力装置本体５２の下端部５２Ｌにおける両側の角部の裏面５２Ｂ（図１参照）に設けられる。
【００３３】
なお、装置本体用滑り止め部６６の配置及び数は、変更可能である。また、装置本体用滑り止め部６６は、省略可能である。
【００３４】
（装着ベース）
図５に示されるように、装着ベース７０は、入力装置本体５２の上端部５２Ｕに沿って設けられる。また、装着ベース７０の全長は、入力装置本体５２の横幅よりも短くされる。図４に示されるように、装着ベース７０は、芯材７２と、芯材７２を被覆する表皮５４とを有する。なお、装着ベース７０は、後述するヒンジ部９０を介して入力装置本体５２の上端部５２Ｕに連結される。
【００３５】
芯材７２は、例えば、アルミニウム等の金属、又は硬質樹脂によって形成される。この芯材７２は、入力装置本体５２の横幅方向を長手方向として配置される。芯材７２の横断面形状は、Ｌ字形状とされる。換言すると、入力装置５０の横幅方向から見て、芯材７２は、Ｌ字形状に形成される。
【００３６】
装着ベース７０は、Ｌ字形状を成す装着部７４及びチルト用脚部８４を有する。装着部７４及びチルト用脚部８４は、芯材７２及び表皮５４によって形成される。
【００３７】
装着部７４は、表示装置２０に装着ベース７０が装着された状態で、表示装置２０の端面２０Ｅに沿って配置される。一方、チルト用脚部８４は、表示装置２０に装着ベース７０が装着された状態で、表示装置２０の表面２０Ｆに沿って配置される。
【００３８】
なお、以下では、特に断りがない限り、表示装置２０に装着ベース７０が装着された状態を基準として、装着部７４及びチルト用脚部８４の構成について説明する。
【００３９】
（装着部）
図４に示されるように、装着部７４は、表示装置２０の端面２０Ｅに装着される。この装着部７４は、表示装置２０の端面２０Ｅと対向する装着面７４Ａを有する。また、装着面７４Ａには、装着部側コネクタ７６、及び一対の位置決め突起部７８が設けられる。
【００４０】
図５及び図６に示されるように、装着部側コネクタ７６は、装着面７４Ａにおける長手方向の中央部に設けられる。この装着部側コネクタ７６には、フレキシブルケーブル５６を介してキーボード部６０、タッチパッド部６２、一対のクリックボタン６４が電気的に接続される。
【００４１】
装着部側コネクタ７６は、装着面７４Ａから突出する。この装着部側コネクタ７６は、図７に示されるように、端面側コネクタ３０に差し込まれた状態で、当該端面側コネクタ３０と電気的に接続される。これにより、表示装置２０と入力装置５０とが電気的に接続される。なお、装着部側コネクタ７６は、１８０度回転された状態（左右が反転された状態）でも、端面側コネクタ３０に接続可能とされる。
【００４２】
図５及び図６に示されるように、装着部側コネクタ７６に対する入力装置５０の横幅方向の両側には、一対の位置決め突起部７８が設けられる。一対の位置決め突起部７８は、装着面７４Ａから突出する。また、一対の位置決め突起部７８の形状及び大きさは、同じとされる。この一対の位置決め突起部７８は、前述した一対の位置決め穴３２（図２Ｂ参照）にそれぞれ嵌め込まれる。これにより、表示装置２０の端面２０Ｅに対して装着部７４が位置決めされる。
【００４３】
また、一対の位置決め突起部７８の中心、及び装着部側コネクタ７６の中心は、入力装置５０の横幅方向に沿った直線（中心線）上に配置される。さらに、一対の位置決め突起部７８は、装着部側コネクタ７６に対して対称に配置される。これにより、装着部７４が１８０度回転された状態（装着部７４の左右が反転された状態）で、一対の位置決め突起部７８が一対の位置決め穴３２に嵌め込み可能になるとともに、装着部側コネクタ７６が端面側コネクタ３０に接続可能になる。
【００４４】
そのため、装着部７４は、表示装置２０の表面２０Ｆ側にチルト用脚部８４が配置された状態（図１０の状態）と、表示装置２０の裏面２０Ｒ側にチルト用脚部８４が配置された状態（図１１の状態）で、表示装置２０の端面２０Ｅに装着可能とされる。
【００４５】
なお、端面側コネクタ３０、装着部側コネクタ７６、位置決め穴３２、及び位置決め突起部７８の配置及び数は、変更可能である。また、位置決め穴３２及び位置決め突起部７８は、省略可能である。
【００４６】
図５に示されるように、一対の位置決め突起部７８に対する入力装置５０の横幅方向の両側には、複数の装着部側磁石８０が設けられる。複数の装着部側磁石８０は、表皮５４内に設けられる。また、各装着部側磁石８０は、入力装置５０の横幅方向に沿った棒状に形成される。
【００４７】
図７に示されるように、複数の装着部側磁石８０は、前述した複数の端面側磁石３４とそれぞれ対向する。また、各装着部側磁石８０の磁極は、前述した端面側磁石３４の磁極と異なる磁極とされる。これにより、装着部側磁石８０が端面側磁石３４に吸着され、装着部７４が表示装置２０の端面２０Ｅに装着された状態で保持される。
【００４８】
なお、装着部７４には、装着部側磁石８０に替えて、端面側磁石３４に吸着可能な金属部材が設けられても良い。これと同様に、表示装置２０における端面２０Ｅ側には、端面側磁石３４に替えて、装着部側磁石８０に吸着可能な金属部材が設けられても良い。また、端面側磁石３４及び装着部側磁石８０の配置及び数は、変更可能である。さらに、端面側磁石３４及び装着部側磁石８０は、省略可能である。
【００４９】
（装着部用滑り止め部）
図７に示されるように、装着部７４におけるチルト用脚部８４と反対側の端部７４Ｅには、装着部用滑り止め部８２が設けられる。装着部用滑り止め部８２は、例えば、ゴム又はシリコン等の弾性体によって形成される。この装着部用滑り止め部８２は、装着部７４の端部７４Ｅにおける両側の角部の裏面７４Ｂに設けられる。
【００５０】
なお、装着部用滑り止め部８２の配置及び数は、変更可能である。また、装着部用滑り止め部８２は、省略可能である。
【００５１】
（チルト用脚部）
装着部７４の端部７４Ｃには、チルト用脚部８４が設けられる。チルト用脚部８４は、装着部７４に固定（固着）される。つまり、チルト用脚部８４と装着部７４とは、相対変位しない。また、チルト用脚部８４は、装着部７４から延出し、表示装置２０の表面２０Ｆに沿って配置される。このチルト用脚部８４は、表示装置２０の表面２０Ｆの外周部と対向する対向面８４Ａを有する。なお、対向面８４Ａは、表示装置２０の表示面２２Ａとは対向しない。
【００５２】
チルト用脚部８４には、脚部側磁石８６が設けられる。脚部側磁石８６は、表皮５４内に設けられる。脚部側磁石８６は、入力装置５０の横幅方向に沿った棒状に形成される。また、脚部側磁石８６は、入力装置５０の横幅方向に複数設けられる。
【００５３】
複数の脚部側磁石８６は、前述した複数の表面側磁石３６とそれぞれ対向する。各脚部側磁石８６の磁極は、表面側磁石３６の磁極と異なる磁極とされる。これにより、脚部側磁石８６が、表面側磁石３６に吸着され、チルト用脚部８４が表示装置２０の表面２０Ｆに接合される。
【００５４】
なお、チルト用脚部８４には、脚部側磁石８６に替えて、表面側磁石３６に吸着可能な金属部材が設けられても良い。これと同様に、表示装置２０における表面２０Ｆ側には、表面側磁石３６に替えて、脚部側磁石８６に吸着可能な金属部材が設けられても良い。また、表面側磁石３６及び脚部側磁石８６の配置及び数は、変更可能である。さらに、表面側磁石３６及び脚部側磁石８６は、省略可能である。
【００５５】
ここで、図１１に示されるように、入力装置５０がスタンドとして利用される場合、チルト用脚部８４は、表示装置２０の裏面２０Ｒに沿って配置される。この場合、チルト用脚部８４の対向面８４Ａは、表示装置２０の裏面２０Ｒの外周部と対向する。また、複数の脚部側磁石８６は、前述した複数の裏面側磁石３８とそれぞれ対向する。各脚部側磁石８６の磁極は、裏面側磁石３８の磁極と異なる磁極とされる。これにより、脚部側磁石８６が、裏面側磁石３８に吸着され、チルト用脚部８４が表示装置２０の裏面２０Ｒに接合される。
【００５６】
なお、チルト用脚部８４には、脚部側磁石８６に替えて、裏面側磁石３８に吸着可能な金属部材が設けられても良い。これと同様に、表示装置２０における裏面２０Ｒ側には、裏面側磁石３８に替えて、脚部側磁石８６に吸着可能な金属部材が設けられても良い。また、裏面側磁石３８及び脚部側磁石８６の配置及び数は、変更可能である。さらに、裏面側磁石３８及び脚部側磁石８６は、省略可能である。
【００５７】
（脚部側滑り止め部）
図７に示されるように、装着部７４におけるチルト用脚部８４側の端部７４Ｃ、すなわち装着部７４とチルト用脚部８４とが接続される角部には、脚部側滑り止め部８８が設けられる。脚部側滑り止め部８８は、例えば、ゴム又はシリコン等の弾性体によって形成される。この脚部側滑り止め部８８は、装着部７４の端部７４Ｃにおける両側の角部の裏面７４Ｂにそれぞれ設けられる。
【００５８】
なお、脚部側滑り止め部８８の配置及び数は、変更可能である。また、脚部側滑り止め部８８は、省略可能である。
【００５９】
（ヒンジ部）
チルト用脚部８４における装着部７４と反対側の端部８４Ｅには、ヒンジ部９０を介して入力装置本体５２の上端部５２Ｕが連結される。ヒンジ部９０は、内部にパネルフレーム、及び装着ベース等が存在しない表皮５４によって形成される。なお、ヒンジ部９０には、フレキシブルケーブル５６が配線される。
【００６０】
ヒンジ部９０は、入力装置５０の横幅方向（矢印Ｗ方向）を中心軸として湾曲可能な柔軟性を有する。換言すると、ヒンジ部９０は、入力装置５０の横幅方向に沿った回動軸を有する。このヒンジ部９０を中心として、入力装置本体５２が装着ベース７０に対して回動する。これにより、入力装置本体５２が、表示装置２０の表面２０Ｆを覆うカバー状態（図８の状態）と、表示装置２０の表面２０Ｆを露出させる展開状態（図９の状態）とに変移される。この展開状態では、キーボード部６０、タッチパッド部６２、一対のクリックボタン６４が露出される。
【００６１】
（入力装置のキーボード部等を使用する方法）
次に、表示装置２０のキーボード部６０等を使用する方法について説明する。
【００６２】
図４には、机等の設置面Ｍ上に、入力装置本体５２の表面５２Ａを上にした状態で設置された入力装置５０が示される。また、図４では、チルト用脚部８４が設置面Ｍ上に設置され、装着部７４が壁状に立てられる。
【００６３】
この状態から、利用者が表示装置２０に入力装置５０を装着する際には、利用者は、先ず、表面２０Ｆを下にした状態で表示装置２０を入力装置本体５２上に載置するとともに、表示装置２０の端面２０Ｅを入力装置５０の装着部７４に対向させる。この際、一対の位置決め穴３２に一対の位置決め突起部７８を対向させるとともに、端面側コネクタ３０に装着部側コネクタ７６を対向させる。
【００６４】
次に、図７に示されるように、利用者は、表示装置２０の端面２０Ｅを入力装置５０の装着部７４に接近させるとともに、表示装置２０の表面２０Ｆをチルト用脚部８４に対向させる。これにより、端面側磁石３４及び装着部側磁石８０の磁力によって、表示装置２０の端面２０Ｅに入力装置５０の装着部７４が吸着される。そして、一対の位置決め穴３２に一対の位置決め突起部７８が嵌め込まれるとともに、端面側コネクタ３０に装着部側コネクタ７６が挿入される。この結果、入力装置５０の装着部７４が表示装置２０の端面２０Ｅに装着され、入力装置５０が表示装置２０に電気的に接続される。
【００６５】
また、表面側磁石３６に脚部側磁石８６が吸着される。これにより、表示装置２０の表面２０Ｆにチルト用脚部８４が接合される。なお、図７では、入力装置５０の入力装置本体５２が、表示装置２０の表面２０Ｆを覆うカバー状態となる。
【００６６】
次に、利用者がキーボード部６０を使用する場合、図８に示されるように、利用者は、先ず、装着部７４を下にした状態で、表示装置２０を設置面Ｍ上に立てる。
【００６７】
次に、図９に示されるように、利用者は、ヒンジ部９０を中心として入力装置本体５２を回動させ、装置本体用滑り止め部６６を設置面Ｍに接地させる。これにより、入力装置本体５２が、カバー状態から展開状態に変移される。この入力装置本体５２の展開状態では、キーボード部６０、タッチパッド部６２、及び一対のクリックボタン６４が露出される。
【００６８】
また、入力装置本体５２の展開状態では、入力装置本体５２の上端部５２Ｕが、設置面Ｍから浮き上った状態でチルト用脚部８４に支持される。これにより、入力装置本体５２のキーボード部６０が所定の傾斜角度に傾斜（チルト）される。したがって、キーボード部６０を操作し易くなる。
【００６９】
次に、利用者は、図１０に示されるように、表示装置２０のスタンド収容部２６から可動スタンド２８を展開させる。つまり、利用者は、可動スタンド２８を収容状態からスタンド状態に変移させる。
【００７０】
次に、利用者は、表示装置２０及び装着ベース７０を可動スタンド２８側へ傾倒させ、可動スタンド２８のスタンド脚部２８Ｂを設置面Ｍに接地させる。これにより、表示装置２０が、所定の傾斜角度に立てられた状態で保持される。
【００７１】
なお、可動スタンド２８のスタンド脚部２８Ｂが設置面Ｍに接地された状態では、装着部用滑り止め部８２及び装置本体用滑り止め部６６が設置面Ｍに接地される。これにより、設置面Ｍに対する装着部７４及び入力装置本体５２の滑りが抑制される。したがって、利用者が、キーボード部６０等を操作し易くなる。
【００７２】
（入力装置をスタンドとして使用する方法）
次に、入力装置５０をスタンドとして使用する方法ついて説明する。
【００７３】
図１１に示されるように、利用者が入力装置５０をスタンドとして使用する場合、利用者は、先ず、表示装置２０の裏面２０Ｒにチルト用脚部８４が対向するように、表示装置２０の端面２０Ｅに装着部７４を装着する。これにより、裏面側磁石３８に脚部側磁石８６が吸着され、表示装置２０の裏面２０Ｒにチルト用脚部８４が接合される。
【００７４】
また、利用者が、ヒンジ部９０を中心として入力装置本体５２を回動させ、装置本体用滑り止め部６６を設置面Ｍに接地させる。これにより、入力装置本体５２によって、表示装置２０の裏面２０Ｒが支持され、表示装置２０が所定の傾斜角度で保持される。
【００７５】
また、図１２に示されるように、利用者がタッチペン１２を使用する場合、利用者は、図１１に示される状態から表示装置２０を入力装置本体５２側へ倒し、表示装置２０の裏面２０Ｒを入力装置本体５２の表面５２Ａに接触させる。これにより、表示装置２０が安定するため、利用者がタッチペン１２を使用し易くなる。
【００７６】
（入力装置の取り外し方法）
次に、表示装置２０から入力装置５０を取り外す方法について説明する。
【００７７】
表示装置２０から入力装置５０を取り外す場合、利用者は、端面側磁石３４と装着部側磁石８０との吸着力等に抗して装着ベース７０から表示装置２０を引き抜く。これにより、表示装置２０から入力装置５０が取り外される。
【００７８】
（作用及び効果）
次に、本実施形態の作用及び効果について説明する。
【００７９】
先ず、装着部７４にヒンジ部を介してチルト用脚部８４が連結された比較例について説明する。この比較例では、利用者が入力装置本体５２を傾斜させる場合、利用者は、先ず、表示装置２０の端面２０Ｅに装着部７４を装着する。
【００８０】
次に、利用者は、表示装置２０の端面２０Ｅに装着された装着部７４に対してチルト用脚部８４を回動させ、表示装置２０の表面２０Ｆに沿って配置する。これにより、表面側磁石３６及び脚部側磁石８６の磁力によって、表示装置２０の表面２０Ｆにチルト用脚部８４が吸着される。
【００８１】
この状態で、利用者がヒンジ部９０を中心として入力装置本体５２を回動させてカバー状態から展開状態に変移させると、チルト用脚部８４の端部８４Ｅによって入力装置本体５２の上端部５２Ｕが設置面Ｍから浮き上った状態で支持される。この結果、キーボード部６０が所定の傾斜角度に傾斜される。
【００８２】
このように比較例では、利用者が入力装置本体５２を傾斜させる場合、利用者は、表示装置２０の端面２０Ｅに装着された装着部７４に対してチルト用脚部８４を回動させる。そのため、利用者が入力装置本体５２を傾斜させる場合に、手間がかかる。
【００８３】
これに対して本実施形態では、図８に示されるように、入力装置５０のチルト用脚部８４は、装着部７４の端部７４Ｃに固定される。そのため、利用者が、表示装置２０の端面２０Ｅに装着部７４を装着すると、チルト用脚部８４が表示装置２０の表面２０Ｆに沿って配置される。これにより、表面側磁石３６及び脚部側磁石８６の磁力によって、表示装置２０の表面２０Ｆにチルト用脚部８４が吸着される。
【００８４】
この状態で、利用者がヒンジ部９０を中心として入力装置本体５２を回動させ、入力装置本体５２をカバー状態から展開状態に変移させると、チルト用脚部８４の端部８４Ｅによって入力装置本体５２の上端部５２Ｕが設置面Ｍから浮き上った状態で支持される。この結果、キーボード部６０が所定の傾斜角度に傾斜される。
【００８５】
このように本実施形態では、表示装置２０の端面２０Ｅに対する装着部７４の装着作業に伴って、チルト用脚部８４が表示装置２０の表面２０Ｆに沿って配置される。したがって、前述した比較例と比べて、入力装置本体５２のキーボード部６０を傾斜させる手間が低減される。
【００８６】
また、装着部７４の端部７４Ｅには、装着部用滑り止め部８２が設けられる。この装着部用滑り止め部８２は、設置面Ｍに接地される。これにより、設置面Ｍに対して装着部７４が滑ることが抑制される。したがって、利用者が、入力装置本体５２のキーボード部６０等を操作し易くなる。
【００８７】
さらに、入力装置本体５２の下端部５２Ｌには、装置本体用滑り止め部６６が設けられる。この装置本体用滑り止め部６６は、入力装置本体５２の展開状態において、設置面Ｍに接地される。これにより、設置面Ｍに対して入力装置本体５２の下端部５２Ｌが滑ることが抑制される。したがって、利用者が、入力装置本体５２のキーボード部６０等をさらに操作し易くなる。
【００８８】
また、表示装置２０の表面２０Ｆ側には、表面側磁石３６が設けられる。一方、チルト用脚部８４には、脚部側磁石８６が設けられる。この脚部側磁石８６は、表面側磁石３６に吸着される。したがって、表示装置２０の表面２０Ｆからチルト用脚部８４が外れたり、ずれたりすることが抑制される。
【００８９】
ここで、図３に示されるように、一対の位置決め穴３２の中心Ｃ１、及び端面側コネクタ３０の中心Ｃ２は、表示装置２０の横幅方向に沿った直線Ｖ上に配置される。これと同様に、一対の位置決め突起部７８の中心、及び装着部側コネクタ７６の中心は、入力装置５０の横幅方向に沿った直線上に配置される。
【００９０】
これにより、図１１に示されるように、表示装置２０の端面２０Ｅには、装着部７４を１８０度回転させた状態（左右を反転させた状態）で装着することができる。より具体的には、一対の位置決め穴３２には、装着部７４を１８０度回転させた状態で、一対の位置決め突起部７８を嵌め込むことができる。また、端面側コネクタ３０には、装着部７４を１８０度回転させた状態で、装着部側コネクタ７６を挿入することができる。
【００９１】
したがって、表示装置２０のスタンドとして入力装置５０を使用することができるため、入力装置５０の利便性が向上する。
【００９２】
また、装着部７４の端部７４Ｃには、脚部側滑り止め部８８が設けられる。この脚部側滑り止め部８８は、図１１に示される状態で、設置面Ｍに接地される。これにより、設置面Ｍに対して装着部７４の端部７４Ｃが滑ることが抑制される。したがって、表示装置２０の安定性が高められる。
【００９３】
さらに、表示装置２０の裏面２０Ｒ側には、裏面側磁石３８が設けられる。この裏面側磁石３８によって、脚部側磁石８６が吸着される。したがって、表示装置２０の裏面２０Ｒからチルト用脚部８４が外れたり、ずれたりすることが抑制される。
【００９４】
さらに、図１２に示されるように、利用者がタッチペン１２を使用する場合、利用者は、表示装置２０の裏面２０Ｒを入力装置本体５２の表面５２Ａに接触させる。これにより、表示装置２０が安定するため、利用者がタッチペン１２を使用し易くなる。
【００９５】
（変形例）
次に、上記実施形態の変形例について説明する。
【００９６】
上記実施形態では、入力装置本体５２の上端部５２Ｕがヒンジ部９０を介してチルト用脚部８４の端部８４Ｅに連結される。しかしながら、図１３に示されるように、例えば、入力装置本体５２の上端部５２Ｕは、ヒンジ部９２を介してチルト用脚部８４の上部又は中間部に連結されても良い。この場合、例えば、図１４に示されるように、入力装置本体５２によって表示装置２０の表面２０Ｆを覆うことができるように、ヒンジ部９２の長さが調整される。
【００９７】
また、上記実施形態では、入力装置本体５２が、表示装置２０のスタンドとしても機能する。しかしながら、入力装置本体５２は、表示装置２０のスタンドとして機能しなくても良い。この場合、端面側コネクタ３０及び位置決め穴３２の配置は、適宜変更可能である。これと同様に、装着部側コネクタ７６及び位置決め突起部７８の配置は、適宜変更可能である。
【００９８】
また、上記実施形態では、表示装置２０に可動スタンド２８が設けられる。しかしながら、可動スタンド２８は、省略可能である。また、表示装置には、例えば、着脱式のスタンドが装着されても良い。
【００９９】
また、上記実施形態の入力装置５０は、本体装置の一例としての表示装置２０に装着される。しかしながら、上記実施形態の入力装置は、表示装置２０以外の本体装置に装着されても良い。
【０１００】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【０１０１】
なお、以上の実施形態に関し、さらに以下の付記を開示する。
【０１０２】
（付記１）
本体装置と、
前記本体装置の一端側の端面に装着される装着部と、前記装着部に固定されるとともに前記本体装置の表面に沿って配置されるチルト用脚部と、前記チルト用脚部にヒンジ部を介して連結されるキーボード部と、を有する入力装置と、
を備える情報処理装置。
（付記２）
前記入力装置を横幅方向から見て、前記装着部及び前記チルト用脚部は、Ｌ字形状を成す、
付記１に記載の情報処理装置。
（付記３）
前記装着部における前記チルト用脚部と反対側の端部には、装着部用滑り止め部が設けられる、
付記１又は付記２に記載の情報処理装置。
（付記４）
前記入力装置は、前記キーボード部を備える入力装置本体を有し、
前記入力装置本体における前記ヒンジ部と反対側の端部には、装置本体用滑り止め部が設けられる、
付記１〜付記３の何れか１項に記載の情報処理装置。
（付記５）
前記入力装置本体は、前記ヒンジ部を中心とした回動に伴って前記本体装置の前記表面を覆うカバー状態と、該表面を露出させる展開状態とに変移される、
付記４に記載の情報処理装置。
（付記６）
前記装着部における前記チルト用脚部側の端部には、脚部側滑り止め部が設けられる、
付記１〜付記５の何れか１項に記載の情報処理装置。
（付記７）
前記本体装置の前記端面には、端面側コネクタが設けられ、
前記装着部には、前記端面側コネクタに接続される装着部側コネクタが設けられる、
付記１〜付記６の何れか１項に記載の情報処理装置。
（付記８）
前記本体装置の前記端面には、前記端面側コネクタに対し、前記本体装置の横幅方向の両側に配置される一対の位置決め穴が設けられ、
前記装着部には、前記装着部側コネクタに対し、前記入力装置の横幅方向の両側に配置され、前記一対の位置決め穴にそれぞれ嵌め込まれる一対の位置決め突起部が設けられる、
付記７に記載の情報処理装置。
（付記９）
前記一対の位置決め穴の中心、及び前記端面側コネクタの中心は、前記本体装置の横幅方向に沿った直線上に配置され、
前記装着部側コネクタの中心、及び前記位置決め突起部の中心は、前記入力装置の横幅方向に沿った直線上に配置される、
付記８に記載の情報処理装置。
（付記１０）
前記装着部は、前記チルト用脚部を前記本体装置の裏面に沿わせた状態で前記本体装置の前記端面に着脱される、
付記７〜付記９の何れか１項に記載の情報処理装置。
（付記１１）
前記本体装置における前記裏面側には、前記チルト用脚部を吸着する裏面側磁石が設けられる、
付記１０に記載の情報処理装置。
（付記１２）
前記本体装置における前記端面側には、前記装着部を吸着する端面側磁石が設けられる、
付記１〜付記１１の何れか１項に記載の情報処理装置。
（付記１３）
前記装着部には、前記本体装置の前記端面を吸着する装着部側磁石が設けられる、
付記１〜付記１２の何れか１項に記載の情報処理装置。
（付記１４）
前記本体装置の前記表面側には、前記チルト用脚部を吸着する表面側磁石が設けられる、
付記１〜付記１３の何れか１項に記載の情報処理装置。
（付記１５）
前記チルト用脚部には、前記本体装置の前記表面を吸着する脚部側磁石が設けられる、
付記１〜付記１４の何れか１項に記載の情報処理装置。
（付記１６）
前記ヒンジ部は、前記チルト用脚部における前記装着部と反対側の端部に接続される、
付記１〜付記１５の何れか１項に記載の情報処理装置。
（付記１７）
前記ヒンジ部は、前記入力装置の横幅方向に延びるヒンジ軸を有する、
付記１〜付記１６の何れか１項に記載の情報処理装置。
（付記１８）
前記本体装置の前記表面と反対側には、該本体装置に対して開閉する可動スタンドが設けられる、
付記１〜付記１７の何れか１項に記載の情報処理装置。
（付記１９）
前記本体装置は、表示装置とされ、
前記表示装置の前記表面は、表示面を含む、
付記１〜付記１８の何れか１項に記載の情報処理装置。
（付記２０）
本体装置の一端側の端面に装着される装着部と、
前記装着部に固定されるとともに前記本体装置の表面に沿って配置されるチルト用脚部と、
前記チルト用脚部にヒンジ部を介して連結されるキーボード部と、
を有する入力装置。
【符号の説明】
【０１０３】
１０    情報処理装置
２０    表示装置（本体装置の一例）
２０Ｅ  端面（本体装置の一端側の端面の一例）
２０Ｆ  表面（本体装置の表面の一例）
２０Ｒ  裏面（本体装置の裏面の一例）
２２Ａ  表示面
２８    可動スタンド
３０    端面側コネクタ
３２    位置決め穴
３４    端面側磁石
３６    表面側磁石
３８    裏面側磁石
５０    入力装置
５２    入力装置本体
５２Ｌ  下端部（入力装置本体におけるヒンジ部と反対側の端部の一例）
６０    キーボード部
６６    装置本体用滑り止め部
７４    装着部
７４Ｃ  端部（装着部におけるチルト用脚部側の端部の一例）
７４Ｅ  端部（装着部におけるチルト用脚部と反対側の端部の一例）
７６    装着部側コネクタ
７８    位置決め突起部
８０    装着部側磁石
８２    装着部用滑り止め部
８４    チルト用脚部
８４Ｅ  端部（チルト用脚部における装着部と反対側の端部の一例）
８６    脚部側磁石
８８    脚部側滑り止め部
９０    ヒンジ部
９２    ヒンジ部
Ｃ１    中心（一対の位置決め穴の中心の一例）
Ｃ２    中心（端面側コネクタの中心の一例）
Ｖ      直線（本体装置の横幅方向に沿った直線の一例）
矢印Ｙ  本体装置の横幅方向
矢印Ｗ  入力装置の横幅方向
【図１】
2019046415.tif 000003
【図２Ａ】
2019046415.tif 000004
【図２Ｂ】
2019046415.tif 000005
【図３】
2019046415.tif 000006
【図４】
2019046415.tif 000007
【図５】
2019046415.tif 000008
【図６】
2019046415.tif 000009
【図７】
2019046415.tif 000010
【図８】
2019046415.tif 000011
【図９】
2019046415.tif 000012
【図１０】
2019046415.tif 000013
【図１１】
2019046415.tif 000014
【図１２】
2019046415.tif 000015
【図１３】
2019046415.tif 000016
【図１４】
2019046415.tif 000017